(57)【要約】【課題】折り畳みと組み立てが可能な収納装置の提供。【解決手段】折り畳みと組み立てが可能な収納装置は、布材により硬質板材を被覆縫合してなる箱体の相対する内側面に袋口を設置し、また、両端が側板を湾折することができる第一仕切り板を有する。第一仕切り板の両側板は箱体両側の袋口に挿入して置物空間を分割する。第一仕切り板の両側に前述と相同の袋口を設置し、両端に側板を湾折する第二仕切り板を提供し、第二仕切り板の側板は箱体一側と第一仕切り板の袋口に挿入して、箱体内部が更に多くの置物空間に分割できる。箱体の不使用時、底板、第一仕切り板、第二仕切り板を箱体から取り出して、箱体を扁平に折り畳めば、収蔵に便利である。【選択図】    図２
0003135318.tif 000002
【実用新案登録請求の範囲】
【請求項１】
折り畳みと組み立てが可能な収納装置であって、
矩形底面材、及び、前記底面材四辺に連接される側面材を有し、前記底面材と各側面材が内空間を構成し、少なくとも一つの対称な側面材が垂直の折線を有し、且つ、少なくとも一つの対称な側面材の相互の対称面が少なくとも水平の袋口を設置する箱体と、
前記箱体内の底面材上に設置される底板と、
両端が折線を有して、両側板を湾折して、前記袋口内に挿入し、置物箱の内空間内を複数の空間に隔てる少なくとも一つの第一仕切り板と、
からなることを特徴とする折り畳みと組み立てが可能な収納装置。
【請求項２】
前記箱体のもう一つの対称な側面材の相互の対称面は、少なくとも水平の袋口を設置し、前記第一仕切り板の両側面はそれぞれ、前記側面材の袋口と対応する水平な袋口を設置し、この他、更に、第二仕切り板を有し、前記第二仕切り板の両端は折線を有して、両側板を湾接し、前記箱体の側面材の袋口と前記第一仕切り板の袋口に挿入することを特徴とする請求項１に記載の折り畳みと組み立てが可能な収納装置。
【請求項３】
前記袋口は前記側面材、及び、第一仕切り板に設置される被覆面材を、それぞれ、前記側面材と前記第一仕切り板に組み合わせて構成されることを特徴とする請求項１に記載の折り畳みと組み立てが可能な収納装置。
【考案の詳細な説明】
【技術分野】
【０００１】
本考案は収納空間の分割変更、及び、収蔵と組み立てに便利な収納箱に関するものである。
【背景技術】
【０００２】
居住空間において、収納箱は小物を収納する貯蔵容器となっている。しかし、公知の収納箱は、プラスチック、木材、金属等の硬質材質からなるので、不使用時に、折り畳めず、空間を占有する。また、メーカーは出荷時にも、包装材を縮小して運搬や保管できない、という欠点もある。ある種の収納箱は組み立て式に設計されて、消費者が自身で各素子を組み立てることができるが、これも非常に面倒で、且つ、数量が多い硬質の各素子は多量の包装材を消耗する。
【考案の開示】
【考案が解決しようとする課題】
【０００３】
本考案は、公知の折り畳み可能な収納箱の、空間の分割が固定で変化できない、或いは、変化させるのが面倒な欠点を改善する折り畳み箱を提供することにある。
【課題を解決するための手段】
【０００４】
本考案の収納箱は、布材により硬質板材を被覆縫合してなる箱体の相対する両側面材内側面に袋口を設置し、また、両端が側板を湾折することができる第一仕切り板を有する。第一仕切り板の両側板は箱体両側の袋口に挿入して置物空間を分割する。第一仕切り板、及び、箱体底面に設置される底板を取り外すと、箱体が折り畳める。
【０００５】
本発明は、第一仕切り板の両側に前述と相同の袋口を設置し、両端に側板を湾折する第二仕切り板を提供し、第二仕切り板の側板は箱体側面と第一仕切り板の袋口に挿入して、箱体内部が更に多くの置物空間に分割できる。
【考案の効果】
【０００６】
本考案の収納箱により、空間の分割が固定で変化できず、或いは、変化させるのが面倒な欠点を改善することができる。
【考案を実施するための最良の形態】
【０００７】
図１は本考案の好ましい実施例を示し、箱体１、底板２、少なくとも一つの第一仕切り板３、或いは、更に、少なくとも一つの第二仕切り板４、からなる。箱体１は軟性の布により硬質材料を被覆し、更に、矩形体に縫合し、底面材１１、及び、底面材１１四辺に垂直に連接される四個の側面材１２、からなる。側面材１２の内部は硬質の板材を被覆しているので、側面材１２は起立する。箱体が更に好ましい折り畳み効果を得るため、本考案は、少なくとも、箱体の一対称の側面材１２に垂直の折線１２１を形成する。折線１２１は、側面材１２内に二個の硬質板材を被覆し、両硬質板材の間は布により連接される。底面材１１、及び、四側面材１２は箱体の内空間を構成する。箱体の両対称側面材の外面はとって１４を設置して箱体が持ちやすい。
【０００８】
箱体１は一側面材１２の相互対称面に少なくとも水平の袋口１３１を設置する。袋口１３１の形成方式は、もう一つの布材を側面材１２、及び、第一仕切り板３上に縫合し、一垂直辺を不縫合にして水平の袋口１３１を構成する。
【０００９】
第一仕切り板３は布材により硬質板材を被覆してもよく、一つの大板体と二個の小板体を有し、大小板体の間は軟性の布材により連接されて湾折できる折線３３を形成する。よって、第一仕切り板３の両端で側板３１を湾折形成する（図２で示される）。
【００１０】
図２で示されるように、第二仕切り板４も布材により硬質板材を被覆して構成され、一つの大きい主板４１と二個の小さい側板４２からなり、主、側板の間は布材により連接されて湾折できる折線４３を形成する。これにより、第二仕切り板４の両端は側板４１を湾折形成する。
【００１１】
本考案の組み立て方式は、まず、底板２を箱体１内の底面材１１上に設置し、箱体を起立させ、使用上の需要によって、分割する数量と大小を決定する。例えば、まず、第一仕切り板３両端の側板３１を箱体１両対称面の袋口１３１内に挿入し（図３）、箱体１の内空間が二個の置物空間に隔てられる。更に多くの分割が必要な場合、第二仕切り板４両端の側板４１を箱体１一側、及び、第一仕切り板３の袋口１３１と３２１に挿入する（図４）。更に置物空間を分割したい場合、図５で示されるように、更に多くの第二仕切り板４を箱体一側と第一仕切り板３間に組み合わせる。本考案は、一箱体内に二個の第一仕切り板３（図６）を組み合わせることが出来、更に、各第一仕切り板３の間、及び、第一仕切り板３と箱体の側面材の間に第二仕切り板４を設置して、箱体内部を更に多くの空間に隔てる。
【００１２】
本考案は不使用時、底板２、第一仕切り板３、及び、第二仕切り板４を箱体１から取り出し、その後、箱体１の折線１２１に沿って、被覆面材１３を湾折し（図７）、最後に、箱体を扁平に折り畳む。第一仕切り板３と第二仕切り板４は展開して平面になることができ、収蔵に便利である。
【００１３】
図１〜図７は、本考案の箱体が長方形の設計を示し、図８は箱体１が正方形の設計で、且つ、箱体内側面の袋口１３１が接近している。同様に、底板２を箱体１に設置した後、第一仕切り板３両端の側板３１を両側の袋口１３１に挿入し、第一仕切り板と箱体の側面間に更に第二仕切り板を設置して（図８で図示されない）、箱体内部を複数の空間に隔ててもよい。
【図面の簡単な説明】
【００１４】
【図１】本考案の収納箱装置を構成する素子の組み合わせ前の立体図である。
【図２】図１の第一仕切り板と第二仕切り板の両端が湾折して側板を形成する実施例の立体図である。
【図３】図２の第一仕切り板を箱体に組み合わせた後の実施例の立体図である。
【図４】図２の第一仕切り板と二個の第二仕切り板を箱体に組み合わせた実施例の立体図である。
【図５】図２の第一仕切り板と四個の第二仕切り板を箱体に組み合わせた実施例の立体図である。
【図６】本考案の箱体が二個の第一仕切り板、及び、六個の第二仕切り板を有する実施例の立体図である。
【図７】本考案の箱体折収時の実施例の立体図である。
【図８】本考案の箱体を正方形体にした実施例の立体図である。
【符号の説明】
【００１５】
１        箱体
１１      底面材
１２      側面材
１２１    折線
１３      被覆面材
１３１    袋口
１４      とって
２        底板
３        第一仕切り板
３１      側板
３２      被覆面材
３２１    袋口
３３      折線
４        第二仕切り板
４１      主板
４２      側板
４３      折線
【図１】
0003135318.tif 000003
【図２】
0003135318.tif 000004
【図３】
0003135318.tif 000005
【図４】
0003135318.tif 000006
【図５】
0003135318.tif 000007
【図６】
0003135318.tif 000008
【図７】
0003135318.tif 000009
【図８】
0003135318.tif 000010